(57)【要約】【課題】  猫、犬等が寝そべった場合に、寄り掛かったり、頭部を置くことができる部分を有し、かつ嵩張ることなく、持ち運ぶことが容易なペット用ベッドを提供すること。【解決手段】  上方に向けて延びる肉厚の薄い内周壁１２と、該内周壁１２の上端から下方に向けて延びる肉厚の薄い外周壁１３とによって構成された全周に亘って連続する周壁１１を備えるとともに、前記内周壁１２と外周壁１３の下端の間隔が広くなるように、前記内周壁１２と外周壁１３の少なくとも一方を傾斜させたペット用ベッドとした。【選択図】        図７
2005253399.tif 000002
【特許請求の範囲】
【請求項１】
全周に亘って連続する肉厚の薄い周壁、或いはその一部に切り欠きを有する肉厚の薄い周壁を備えたことを特徴とするペット用ベッド。
【請求項２】
前記周壁を、上方に向けて外方に傾斜させたことを特徴とする、請求項１に記載のペット用ベッド。
【請求項３】
上方に向けて延びる肉厚の薄い内周壁と、該内周壁の上端から下方に向けて延びる肉厚の薄い外周壁とによって構成された全周に亘って連続する周壁、或いはその一部に切り欠きを有する周壁を備えるとともに、前記内周壁と外周壁の下端の間隔が広くなるように、前記内周壁と外周壁の少なくとも一方を傾斜させたことを特徴とするペット用ベッド。
【請求項４】
上方に向けて延びる肉厚の薄い内周壁と、該内周壁の上端から略水平方向外方に向けて連設した水平壁と、該水平壁の外周縁から下方に延びる肉厚の薄い外周壁とによって構成された全周に亘って連続する周壁、或いはその一部に切り欠きを有する周壁を備えたことを特徴とするペット用ベッド。
【請求項５】
前記内周壁と外周壁の下端の間隔が広くなるように、前記内周壁と外周壁の少なくとも一方を傾斜させたことを特徴とする、請求項４に記載のペット用ベッド。
【請求項６】
前記周壁に、剛性を有する板状の芯材を内在させたことを特徴とする、請求項１〜５のいずれかに記載のペット用ベッド。
【請求項７】
前記芯材を、周方向に不連続に配設したことを特徴とする、請求項６に記載のペット用ベッド。
【請求項８】
前記芯材の内面側にクッション性を有する板状の材料を添設したことを特徴とする、請求項６または７に記載のペット用ベッド。
【請求項９】
前記内周壁の下端の一部に連結手段の一方を配設し、前記外周壁の下端の一部に連結手段の他方を配設し、前記一方および他方の連結手段を互いに連結させることによって、前記内周壁の下端と前記外周壁の下端との間隔を保持させるようにしたことを特徴とする、請求項３〜８のいずれかに記載のペット用ベッド。
【請求項１０】
前記周壁の下端によって画成される空間部に底壁を配設したことを特徴とする、請求項１〜９のいずれかに記載のペット用ベッド。
【請求項１１】
前記周壁の下端によって画成される形状に対応する形状のクッションを備えたことを特徴とする、請求項１〜１０のいずれかに記載のペット用ベッド。
【発明の詳細な説明】
【技術分野】
【０００１】
本発明は、ペット用ベッドに関するもので、特に猫、犬等の４つ足小動物に適したペット用ベッドに関するものである。
【背景技術】
【０００２】
ペット用ベッドとしては、猫が丸まって寝そべるクッション部と、クッション部の周囲に形成され、寝そべった猫の頭部が置かれる土手状の枕部とからなるものがある（例えば、特許文献１）。
このペット用ベッドは、クッション部および枕部が布地で形成され、内部に綿を詰め込んだものである。
【０００３】
【特許文献１】特開２００２−１９１２４７号公報
【発明の開示】
【発明が解決しようとする課題】
【０００４】
上記ペット用ベッドでは、特に、枕部が断面円形状に膨らんでいるため、嵩張ってしまい、運搬に際してバッグ等に収容することが難しく、不利であった。
【０００５】
本発明は、上記背景技術が有する実情に鑑みて成されたものであって、その目的は、猫、犬等が寝そべった場合に、寄り掛かったり、頭部を置くことができる部分を有し、かつ嵩張ることなく、持ち運ぶことが容易なペット用ベッドを提供することにある。
【課題を解決するための手段】
【０００６】
上記した課題を解決するため、請求項１のペット用ベッドでは、全周に亘って連続する肉厚の薄い周壁、或いはその一部に切り欠きを有する肉厚の薄い周壁を備えている。
ここで、上記肉厚の薄い周壁は全周に亘って形成することが好ましいが、例えば、一部に切り欠きを形成し、該切り欠きをペットの出入口とした肉厚の薄い周壁を備えたものとしてもよい。
【０００７】
請求項２のペット用ベッドでは、上記請求項１の発明において、前記周壁を、上方に向けて外方に傾斜させている。
【０００８】
請求項３のペット用ベッドでは、上方に向けて延びる肉厚の薄い内周壁と、該内周壁の上端から下方に向けて延びる肉厚の薄い外周壁とによって構成された全周に亘って連続する周壁、或いはその一部に切り欠きを有する周壁を備えると共に、前記内周壁と外周壁の下端の間隔が広くなるように、前記内周壁と外周壁の少なくとも一方を傾斜させている。  ここで、上記肉厚の薄い内周壁と外周壁とで構成された周壁は全周に亘って形成することが好ましいが、例えば、一部に切り欠きを形成し、該切り欠きをペットの出入口とした肉厚の薄い内周壁と外周壁とで構成された周壁を備えたものとしてもよい。
また、上記周壁として、内周壁を上方に向けて外方に傾斜させたもの，外周壁を下方に向けて外方に傾斜させたもの，内周壁を上方に向けて外方に傾斜させ、かつ外周壁を下方に向けて外方に傾斜させたものが挙げられる。
【０００９】
請求項４のペット用ベッドでは、上方に向けて延びる肉厚の薄い内周壁と、該内周壁の上端から略水平方向外方に向けて連設した水平壁と、該水平壁の外周縁から下方に延びる肉厚の薄い外周壁とによって構成された全周に亘って連続する周壁、或いはその一部に切り欠きを有する周壁を備えている。
ここで、上記肉厚の薄い内周壁、水平壁および外周壁とで構成された周壁は全周に亘って形成することが好ましいが、例えば、一部に切り欠きを形成し、該切り欠きをペットの出入口とした肉厚の薄い内周壁、水平壁および外周壁とで構成された周壁を備えたものとしてもよい。
【００１０】
請求項５のペット用ベッドでは、上記請求項４の発明において、前記内周壁と外周壁の下端の間隔が広くなるように、前記内周壁と外周壁の少なくとも一方を傾斜させている。  ここで、上記周壁として、内周壁を上方に向けて外方に傾斜させたもの，外周壁を下方に向けて外方に傾斜させたもの，内周壁を上方に向けて外方に傾斜させ、かつ外周壁を下方に向けて外方に傾斜させたものが挙げられる。
【００１１】
請求項６のペット用ベッドでは、上記請求項１〜５のいずれかの発明において、前記周壁に、剛性を有する板状の芯材を内在させている。
【００１２】
請求項７のペット用ベッドでは、上記請求項６の発明において、前記芯材を、周方向に不連続に配設している。
【００１３】
請求項８のペット用ベッドでは、上記請求項６または７の発明において、前記芯材の内面側にクッション性を有する板状の材料を添設している。
【００１４】
請求項９のペット用ベッドでは、上記請求項３〜８のいずれかの発明において、前記内周壁の下端の一部に連結手段の一方を配設し、前記外周壁の下端の一部に連結手段の他方を配設し、前記一方および他方の連結手段を互いに連結させることによって、前記内周壁の下端と前記外周壁の下端との間隔を保持させるようにしている。
【００１５】
請求項１０のペット用ベッドでは、上記請求項１〜９のいずれかの発明において、前記周壁の下端によって画成される空間部に底壁を配設している。
【００１６】
請求項１１のペット用ベッドでは、上記請求項１〜１０のいずれかの発明において、前記周壁の下端によって画成される形状に対応する形状のクッションを備えている。
【発明の効果】
【００１７】
上記請求項１の本発明に係るペット用ベッドによれば、周壁が存在するため、猫、犬等がその周壁に寄り掛かることができるとともに、その周壁の肉厚が薄いので、嵩張ることがない。
【００１８】
上記請求項２の本発明に係るペット用ベッドによれば、猫、犬等が周壁に寄り掛かり易いものとなるとともに、下位のペット用ベッドの内部に上位のペット用ベッドを収容させることができ、複数のペット用ベッドの運搬、保管に際して嵩張ることなく、運搬、保管に有利となる。
【００１９】
上記請求項３の本発明に係るペット用ベッドによれば、周壁が２重になるため、周壁の強度を高めることができ、かつ安定して床等に着座させることができる。
また、内周壁を上方に向けて外方に傾斜させ、かつ外周壁を下方に向けて外方に傾斜させた周壁を備えた場合には、下位のペット用ベッドの周壁に上位のペット用ベッドの周壁を被せるようにして重ね合わせることができるので、複数のペット用ベッドの運搬、保管に際して嵩張ることなく、運搬、保管に有利となる。
【００２０】
上記請求項４の本発明に係るペット用ベッドによれば、水平壁によって、ペットの頭部を安定して受止めることができるとともに、より周壁の強度をより高めることができ、さらには、安定して床等に着座させることができる。
【００２１】
上記請求項５の本発明に係るペット用ベッドによれば、周壁の強度をより高めることができ、さらに、安定して床等に着座させることができる。
また、内周壁を上方に向けて外方に傾斜させ、かつ外周壁を下方に向けて外方に傾斜させた周壁を備えた場合には、下位のペット用ベッドの周壁に上位のペット用ベッドの周壁を被せるようにして重ね合わせることができるので、複数のペット用ベッドの運搬、保管に際して嵩張ることなく、運搬、保管に有利となる。
【００２２】
上記請求項６の本発明に係るペット用ベッドによれば、周壁に剛性をもたせることができ、ペットが寄り掛かってもあまり変形することなく、周壁の形状が維持される。
【００２３】
上記請求項７の本発明に係るペット用ベッドによれば、剛性を有する周壁が得られるので、平面を有する周壁、例えば矩形状のペット用ベッドの実現に適する。
【００２４】
上記請求項８の本発明に係るペット用ベッドによれば、ペットの接触面がクッション性を有するため、ペットにとって快適なベッドが得られる。
【００２５】
上記請求項９の本発明に係るペット用ベッドによれば、外周壁の一部が外方に変形されるのが防止され、内周壁および外周壁とからなる周壁の全周に亘って強度を高めることができる。
【００２６】
上記請求項１０の本発明に係るペット用ベッドによれば、周壁の一部が外方に変形されるのが防止され、周壁の形状が維持される。
【００２７】
上記請求項１１の本発明に係るペット用ベッドによれば、ペットにとって快適なベッドが得られる。
【発明を実施するための最良の形態】
【００２８】
以下、上記した本発明に係るペット用ベッドの実施の形態を、図面を参照しながら詳細に説明する。
なお、図１は本発明に係るペット用ベッドおよびクッションの一実施の形態を概念的に示した上方視斜視図、図２は図１におけるペット用ベッドの下方視斜視図である。また、図３は図１におけるペット用ベッドのＡ−Ａ線に沿う部分の断面図、図４は図１におけるクッションのＢ−Ｂ線に沿う部分の断面図、図５は図１におけるペット用ベッドのＣ−Ｃ線に沿う部分の拡大断面図、図６は図１に示したペット用ベッドの使用態様を示した断面図、図７は図１に示したペット用ベッドを積み重ねた状態の断面図である。
【００２９】
図示した本発明に係るペット用ベッド１は、ベッド本体１０と、該ベッド本体１０に収納載置されるクッション４０とから構成されている。
【００３０】
上記ベッド本体１０は、矩形状の輪郭を成し、全周に亘って連続した周壁１１が形成されている。この周壁１１は、上方に向かって外方に拡がる内周壁１２と、該内周壁１２の上縁から下方に向かって外方に拡がる外周壁１３とによって構成され、内周壁１２が下端を中心にして反転し、かつ外周壁１３が内周壁１２の上端を中心にして反転し得るように構成されている。
【００３１】
上記内周壁１２は、図５に拡大して示したように、板状のベルポーレンを芯材１４として、その芯材１４の両面に、クッション性を有する板材として、板状のウレタン１５，１６を添設し、その一方側の面、例えば内面側に、被覆材として、裏面にＰＶＣコーティングを施した布状のドビーナイロン１７を配置し、他方側の面、例えば外面側に、被覆材として、布状のポリエステル１８を配置するとともに、それらの端部を互いに縫合等によって結合させて、芯材１４およびウレタン１５，１６を包み込み、ほぼ均一な厚みの板状の片１９を構成し、その片１９の下縁を、底壁２０の周縁に縫合等によって結合させるとともに、上方に向かって外方へ拡がるようにして、片１９の端部をそれぞれ結合させて矩形状の枠を成したものである。
【００３２】
また、上記外周壁１３は、前記内周壁１２と同様に、板状のベルポーレンを芯材２１として、その芯材２１の両面に、クッション性を有する板材として、板状のウレタン２２，２３を添設し、その一方側の面、例えば外面側に、裏面にＰＶＣコーティングを施した布状のドビーナイロン２４を配置し、他方側の面、例えば内面側に、布状のポリエステル２５を配置するとともに、それらの端部を互いに縫合等によって結合させて、芯材２１およびウレタン２２，２３を包み込み、ほぼ均一な厚みの板状の片２６を構成し、その片２６の上縁を上記内周壁１２の上縁に縫合等によって結合させるとともに、下方に向かって外方へ拡がるようにして、片２６の端部をそれぞれ結合させて矩形状の枠を成したものである。
【００３３】
なお、帯状のドビーナイロン１７，ポリエステル１８の被覆材に、芯材１４を不連続に配置し、それによって連続的な内周壁１２を形成し、帯状のドビーナイロン２４，ポリエステル２５の被覆材に、芯材２１を不連続に配置し、それによって連続的な外周壁１３を形成し、それらの内周壁１２の上縁と、外周壁１３の上縁を互いに縫合等によって互いに結合させて周壁１１を構成してもよい。
【００３４】
また、上記内周壁１２の各片１９における幅方向中間部下縁には、面ファスナを備えた舌片２７，２８の端部がそれぞれ結合されており、また、上記外周壁１３の各片２６における幅方向中間部下縁にも、面ファスナを備えた舌片２９の端部がそれぞれ結合されている。そして、それらの舌片２７，２８と舌片２９の面ファスナを互いに結合させることによって、図２或いは図５等に示したように、内周壁１２に対して外周壁１３が外方へ変形しないように維持される。
【００３５】
上記クッション４０は、前記ベッド本体１０の底壁２０に対応した矩形状に形成されている。そして、このクッション４０は、図４に示したように、片面にアルミ蒸着シート４１ａ，４２ａを貼設した２枚の板状ウレタン４１，４２を、アルミ蒸着シートの面が対向するようにして合わせ、それらの間に、中空部４３を形成するとともに、一方側の面、例えば上面に、ＰＶＣコーティングを施した布状のドビーナイロン４４を配置し、他方側の面、例えば下面に、布状のポリエステル４５を配置したもので、周縁の３辺を縫合等によって結合し、他の１辺を開口させ、その開口に、図１に示したように、ファスナー４６を配設している。
【００３６】
このクッション４０では、中空部４３に保冷剤または暖房材を収容し、ファスナー４６を閉じることによって、クッション４０を長時間保冷または暖房することができる。
【００３７】
上記したペット用ベッド１の一使用態様は、図６（ａ）に示したように、ベッド本体１０における周壁１１の一方側の面、即ち、内周壁１２の内面側および外周壁１３の外面側に、ドビーナイロン１７，２４が位置する状態で、内周壁１２と外周壁１３の舌片２７，２９を互いに結合させて、床等に接地させるとともに、底壁２０上に、ドビーナイロン４４が上面に位置する状態で、クッション４０を載置させて使用される。
この状態のペット用ベッド１では、クッション４０におけるペットが寝そべる面および頭部を載せる面が、それぞれ暖触感を有しているので、冬期に適する。
【００３８】
また、このペット用ベッドの他の使用態様は、内周壁１２を下端を中心にして反転させ、かつ外周壁１３を内周壁１２の上端を中心にして反転させることにより、ベッド本体１０の周壁１１を反転させて、図６（ｂ）に示したように、周壁１１の他方側の面、即ち、内周壁１２の内面側および外周壁１３の外面側に、ポリエステル１８，２５が位置する状態で、内周壁１２と外周壁１３の舌片２８，２９を互いに結合させて、床等に接地させるとともに、クッション４０を裏返して、ポリエステル４５を上面に位置させて、クッション４０を底壁２０上に載置させて使用される。
この状態のペット用ベッド１では、クッション４０におけるペットが寝そべる面および頭部を載せる面が、それぞれ冷触感を有しているので、夏期に適する。
【００３９】
また、このペット用ベッド１では、図７に示したように、下位のペット用ベッド１の内周壁１２内に上位のペット用ベッド１の底部２０を収容させることができるので、重ねて保管または運搬することができ、嵩張ることはない。
【００４０】
なお、上記実施の形態のペット用ベッド１では、ベッド本体１０とクッション４０とによって構成されているが、クッション４０は必ずしもなくてもよく、ベッド本体１０の底壁２０をクッションを兼ねたものとしてもよい。また、ベッド本体１０は、底壁２０を備えているが、底壁１１も必ずしも必要としないが、あると外観が良くなるとともに、周壁１１の保形効果がある。
【００４１】
また、上記実施の形態のペット用ベッド１では、内周壁１２の上縁に外周壁１３の上縁を直接結合させているが、図８に示したように、内周壁１２の上縁と外周壁１３の上縁との間に、水平壁（天井壁）３０を介在させ、ペットの頭部を載せる部分の面積を拡げてもよい。
なお、この場合、図８（ｃ）に示したように、内周壁１２を上方に向けて外方に傾斜させ、かつ外周壁１３を下方に向けて外方に傾斜させた場合には、下位のペット用ベッドの周壁に上位のペット用ベッドの周壁を被せるようにして重ね合わせることができるので、複数のペット用ベッドの運搬、保管に際して嵩張ることなく、運搬、保管に有利となる。  また、内周壁１２が下端を中心にして反転し、水平壁３０が内周壁１２の上端を中心にして反転し、かつ外周壁１３が水平壁３０の外周縁を中心にして反転し得るように構成すれば、該内周壁１２、水平壁３０及び外周壁１３により構成される周壁１１を反転させて使用することができるものとなる。
【００４２】
また、上記実施の形態のペット用ベッド１では、周壁１１が内周壁１２と外周壁１３とによって構成されているが、図９に示したように、肉厚の薄い内周壁１２のみによって周壁１１を構成してもよく、この場合にも、該周壁１１を下端を中心にして反転し得るように構成すれば、周壁１１の一方側の面と他方側の面を、ペット収納部として使い分けることができる。また、内周壁１２を上方に向けて外方に傾斜しているものとすると、ペットが寄り掛かり易いものとなるとともに、反転が容易なものとなる。
【００４３】
また、上記実施の形態のペット用ベッド１では、周壁１１を連続的に形成しているが、図１１（ａ），（ｂ）に示したように、周壁１１の一部を切り欠いて、そこにペットの出入口３１を形成してもよく、この場合、周壁１１の一部を完全に下端まで切り欠いてもよく、また、図１１（ｂ）に示したように、周壁１１の一部を残してもよい。
【００４４】
また、上記実施の形態のペット用ベッド１では、ベッド本体１０を矩形状に形成しているが、図１０に示したように、円形に形成することもでき、また、図示は省略したが、５角形、６角形等の多角形としてもよい。
【００４５】
さらに、上記実施の形態のペット用ベッド１では、周壁１１、例えば、内周壁１２，外周壁１３が、均一な肉厚に形成されているが、図１２（ａ），（ｂ）に示したように、一端の肉厚が厚く、他端の肉厚が薄くなるように形成してもよく、図１２（ｃ）に示したように、中間部の肉厚を厚くなるように形成してもよく、要は、全体の肉厚を薄く形成すればよい。
なお、図１２に示したものは、いずれも内周壁１２が上方に向けて外方に傾斜し、かつ外周壁１３が下方に向けて外方に傾斜しているため、下位のペット用ベッドの周壁に上位のペット用ベッドの周壁を被せるようにして重ね合わせることができ、複数のペット用ベッドの運搬、保管に際して嵩張ることなく、運搬、保管に有利となる。
【００４６】
以上、本発明に係るペット用ベッドの実施の形態を説明したが、本発明は、何ら既述の実施の形態に限定されず、特許請求の範囲に記載した本発明の技術的思想の範囲内において、更に、種々の変形および変更が可能であることは当然である。
【図面の簡単な説明】
【００４７】
【図１】本発明に係るペット用ベッドおよびクッションの一実施の形態を概念的に示した上方視斜視図である。
【図２】図１におけるペット用ベッドの下方視斜視図である。
【図３】図１におけるペット用ベッドのＡ−Ａ線に沿う部分の断面図である。
【図４】図１におけるクッションのＢ−Ｂ線に沿う部分の断面図である。
【図５】図１におけるペット用ベッドのＣ−Ｃ線に沿う部分の拡大断面図である。
【図６】図１に示したペット用ベッドの使用態様を示した断面図である。
【図７】図１に示したペット用ベッドを積み重ねた状態の断面図である。
【図８】本発明に係るペット用ベッドにおける周壁の変形例を示した概念的な部分断面図である。
【図９】本発明に係るペット用ベッドの他の実施の形態を示した概念的な斜視図である。
【図１０】本発明に係るペット用ベッドのさらに他の実施の形態を示した概念的な斜視図である。
【図１１】本発明に係るペット用ベッドのさらに他の実施の形態を示した概念的な斜視図である。
【図１２】本発明に係るベット用ベッドのさらに他の実施の形態を示した概念的な断面図である。
【符号の説明】
【００４８】
１  ペット用ベッド
１０  ベッド本体
１１  周壁
１２  内周壁
１３  外周壁
１４  芯材
１５，１６  板状のウレタン
１７  布状のドビーナイロン
１８  布状のポリエステル
１９  板状の片
２０  底壁
２１  芯材
２２，２３  板状のウレタン
２４  布状のドビーナイロン
２５  布状のポリエステル
２６  板状の片
２７，２８，２９  舌片
３０  天井壁
３１  出入口
４０  クッション
４１，４２  板状のウレタン
４１ａ，４２ａ  アルミ蒸着シート
４３  中空部
４４  布状のドビーナイロン
４５  布状のポリエステル
４６  ファスナー
【図１】
2005253399.tif 000003
【図２】
2005253399.tif 000004
【図３】
2005253399.tif 000005
【図４】
2005253399.tif 000006
【図５】
2005253399.tif 000007
【図６】
2005253399.tif 000008
【図７】
2005253399.tif 000009
【図８】
2005253399.tif 000010
【図９】
2005253399.tif 000011
【図１０】
2005253399.tif 000012
【図１１】
2005253399.tif 000013
【図１２】
2005253399.tif 000014